(57)【要約】 【課題】  本発明は、ホースやチューブを結合するに当ってワンタッチで装着可能なコネクタを提供する。【解決手段】  ホース１０１を挿入可能なニップル１と、そのニップル１に結合する袋ナット１０と、前記ニップル１内に平坦部１ｄを形成し、この平坦部１ｄの外周に挿入のクッション体２０と、このクッション体２０の外側に挿入の内周に凹凸部３１を形成してあると共に、スリット３３が形成のグリップリング３０とで構成してあり、袋ナット１０にはグリップリング３０に形成のテーパ状の押圧部３０ａにフィットするようにテーパ状の押圧部１０ｂが形成してあり、端部にテーパ状の鍔８０ａが形成してあるインナーリング８０を挿入のホース１０１をニップル１に挿入する。【選択図】    図３
2006077837.tif 000002
【特許請求の範囲】
【請求項１】
ホースを挿入可能なニップルと、そのニップルに結合する袋ナットと、前記ニップルの右側に円筒平坦部を形成し、この平坦部の外周に挿入のクッション体と、このクッション体の右側に挿入の内周に凹凸部を形成してあると共にスリットを形成のグリップリングとを有するコネクタであって、
前記グリップリングの右側外周に、前記袋ナットに形成のテーパ状の押圧部にフィットするようにテーパ部が形成してあり、
先端部にテーパ状の鍔を形成のインナーリングをホースの端部に挿入し、
コネクタに前記ホースを挿入して接続することを特徴とするホース接続用のコネクタ。
【発明の詳細な説明】
【技術分野】
【０００１】
本発明は、ホースやチューブを結合するために使用するコネクタであり、特に、ワンタッチで装着可能なコネクタに関する。
【背景技術】
【０００２】
従来のコネクタとして、特開２００２−１８８７８０号公報があり、この公報のコネクタは、図４に示すように、ニップル１１１とスリーブ１１２及び袋ナット１１０で構成してあって、合成樹脂等で製作のホース１０１を結合する。
前記構成部品で構成のコネクタを使用してホーズ１０１を結合する過程について説明すると、先ず、ホース先端部１０１ａからホースに、袋ナット１１０、その後に、スリーブ１１２を装着する。
そして、ホースの先端部１０１ａをホース差込筒体２に挿入し、ホースの先端部１０１ａとスリーブ１１２の先端部を拡開溝３に挿入してセットする。
【０００３】
次に、袋ナット１１０の内ネジ１１０ａをニップル１１１のナットネジ１１１ａに螺合させて締め付けると、袋ナット１１０の内面に形成の押圧部１１０ｂで、スリーブ１１２を内径方向に押圧して縮小させるので、そのスリーブ１１２の全体が、内径方向に縮小し、ホース１０１の外面に幅広く密着して脱抜防止と漏洩防止を図ることができる。
【０００４】
【特許文献１】特開２００２−１８８７８０号
【発明の開示】
【発明が解決しようとする課題】
【０００５】
前記のように、従来のコネクタはホースを結合するに当って、ホースを差込み、その後、ニップルで締め付ける作業を要する。
そのため、簡便に、所謂、ワンタッチでホースを係合可能なコネクタが望まれていて、ここに提供するものである。
【課題を解決するための手段】
【０００６】
本願のホース接続用のコネクタは、ホースを挿入可能なニップルと、そのニップルに結合する袋ナットと、前記ニップルの右側に円筒状で外周が平坦の平坦部１ｄを形成し、この平坦部１ｄの外周に挿入のクッション体２０と、このクッション体２０の右側に挿入の内周に凹凸部３１を形成してあると共にスリット３３が形成のグリップリング３０とからなる。
そして、端部にテーパ状の鍔８０ａを形成のインナーリング８０をホースの左方向に押圧しながらコネクタに挿入すると、コネクタ内部のグリップリング３０も左に移動する。グリップリング３０が左方向に移動すると、グリップリング３０のテーパ部３０ａは、大きな口径となるテーパ状の押圧部１０ｂに位置して、拡開可能になる。
又、クッション体２０の反発力によって、グリップリング３０を右方向に常時押し付けているので、このグリップリング３０が右方向に押し付けられていること、袋ナットのテーパ状の押圧部によってグリップリング３０は縮小作用が発生しているので、グリップリング３０の内周に形成の凹凸部３１は、ホース１０１の外周に食い込んでホースの抜け防止となる。
又、グリップリング３０の右側に拡開可能なスリット３３が形成してあるので、ホース１０１を挿入すると、グリップリング３０は拡開して容易に挿入でき、所謂、ワンタッチで装着できる。
【発明の効果】
【０００７】
本発明のコネクタは、所謂、ワンタッチで、ホース等を装着できる。
【発明を実施するための最良の形態】
【０００８】
本実施の形態のコネクタとして、ホースコネクタを取り上げ、図面を参照して説明する。
図１（Ａ）はコネクタの正面断面図、（Ｂ）はホースの断面図、図２（Ａ）（Ｂ）はグリップリングの正面断面図、右正面図、図３（Ａ）〜（Ｃ）は合成樹脂等で製作のホース１０１を接続する過程を示す断面図である。
【０００９】
金属等で製作の筒状のニップル１のほぼ中央には、スパナ用の回動頭部１ａが形成してあり、その回動頭部１ａの左側には、機器取付け用の機器ネジ１ｂが形成してある。
一方、前記回動頭部１ａの右側外周には、金属や硬質樹脂等で形成の袋ナット１０と螺合するナットネジ１ｃが形成してあり、更に、その右側には、後述するクッション体２０とグリップリング３０を挿入する円筒状で外周が平坦の平坦部１ｄが形成してある。
又、回動頭部１ａの右側内周には、シールのために、リング状のシール体５を嵌挿する周溝１ｅが形成してある。
尚、ニップル１の左側における機器の取付け方法は、前記機器ネジ１ｂ形式の他、バンド等を介して結合すればよく、機器の種類に適宜対応させる。
【００１０】
前記袋ナット１０は金属や硬質樹脂等で中空に形成してあり、その内面には、前記ニップル１に形成のナットネジ１ｃに螺合する内ネジ１０ａが形成してある。
又、袋ナット１０の内周面には、前記内ネジ１０ａの端部から右端部に到って、径が狭小となるテーパ状の押圧部１０ｂが形成してある。
【００１１】
次に、図２に示すグリップリング３０について説明すると、このグリップリング３０は、金属、合成樹脂等で中空の筒状に製作してある。
そして、このグリップリング３０の右半分の内面には、傾斜状に刃を形成の鋸状の凹凸部３１が形成してあると共に、右端部から前記凹凸部３１の左端部から更に左部に到る軸方向に、周囲に、６個（この数は任意でよい）のスリット３３が形成してある。
又、このグリップリング３０の右側外周は、袋ナット１０に形成のテーパ状の押圧部１０ｂにフィットするようにテーパ部３０ａが形成してあり、更に、左端部には、クッション体２０を押圧するための平坦な鍔３６が円周に形成してある。
【００１２】
尚、前記鋸状の凹凸部３１はホース１０１が挿入し易く、抜くときにはホース１０１の外面に食い込むように、挿入するホースの先端側に向けて傾斜状に鋸刃が形成されている。又、前記スリット３３は、拡開、縮小を容易にするために形成してあり、その数とスリットの幅は適宜選定できる。又、前記凹凸部３１の内径は、ホース１０１外径より、僅かに小さく形成してある。
【００１３】
次に、前記構成のコネクタを使用してホースを装着する過程について図３（Ａ〜Ｃ）を参照して説明する。
先ず、ニップル１の右側内周に、シールのためのリング状のシール体５を嵌挿すると共に、ニップル１にクッション体２０、グリップリング３０を装着し、袋ナット１０をニップル１のナットネジにネジ込んで装着する。
尚、このクッション体２０は、バネや弾性ゴム等であり、グリップリング３０をホース１０１側に反発させる役目を果たし、グリップリング３０は袋ナットのテーパ状の押圧部１０ｂに押し付けられ、縮小する力が作用する。
【００１４】
次に、ホース１０１の内周にインナーリング８０を挿入する。尚、このインナーリング８０は、中空の筒状であり、端部には鍔８０ａが形成してあり、この鍔８０ａの形状は左下方向に幅広のテーパ部が形成してある（図３（Ａ））。
又、この鍔８０ａに形成のテーパ部は、ホース１０１がコネクタに円滑に挿入し易いように形成してあり、又、このインナーリング８０は、グリップリング３０が縮小すると合成樹脂製のホース１０１の場合、合成樹脂製のホース１０１も縮小し、引っ張り強度が低下するので、これを防止するために用いる。
【００１５】
そして、端部にテーパ状の鍔８０ａを形成のインナーリング８０をホースの左方向に押圧しながらコネクタに挿入すると、コネクタ内部のグリップリング３０も左に移動する。グリップリング３０が左方向に移動すると、グリップリング３０のテーパ部３０ａは、大きな口径となって隙間が形成され、テーパ状の押圧部１０ｂに位置して、拡開可能になる。
そのため、インナーリング８０のテーパ状の鍔８０ａは、グリップリング３０の内周に形成の凹凸部３１と接しながら、グリップリング３０に形成のスリット３３によって、容易に拡開し、ホース１０１は容易に挿入される（図３（Ｂ））。
【００１６】
又、ホース１０１の端部は、インナーリングの鍔８０ａがテーパ状であるので、ホース１０１は断面円形状のシール体５の内径が小さくても、容易に通過でき、ニップル１に形成の停止部１ｆに到って（図３（Ｃ））、ホース１０１は、所謂、ワンタッチで装着される。
一方、クッション体２０は、グリップリング３０を右方向に移動するように弾発力が作用するので、このグリップリング３０は、袋ナット１０ののテーパ状の押圧部１０ｂとホース１０１の外径との間で挟着状態になり、ホース１０１の外面に食い込むため、ホース１０１を引っ張っても抜けることがないし、ホース１０１の外周をシール体５が密着して漏洩防止となる。
尚、前記ではホース接続に対する説明であるが、このホースに限定されず、チューブ等に対しても使用できることはいうまでもない。
【図面の簡単な説明】
【００１７】
【図１】（Ａ）はコネクタの正面断面図、（Ｂ）はホースの断面図である。
【図２】（Ａ）（Ｂ）はグリップリングの正面断面図と右正面図である。
【図３】（Ａ）〜（Ｃ）はホースを接続する過程を示す断面図である。
【図４】従来のコネクタによる結合状態の正面断面図である。
【符号の説明】
【００１８】
１  ニップル
１ａ  回動頭部
５  シール体
１０  袋ナット
２０  クッション体
３０  グリップリング
３１  凹凸部
３３  スリット
１０１  ホース
【図１】
2006077837.tif 000003
【図２】
2006077837.tif 000004
【図３】
2006077837.tif 000005
【図４】
2006077837.tif 000006